(57)【特許請求の範囲】
【請求項１】
予め未露光の写真フイルムを収納し、電源、メインコンデンサ、ストロボ放電管等からなるストロボユニットと、標準の露光サイズに対応した視野のファインダと、このファインダの視野範囲を規制する位置に切り換え操作自在な視野規制手段と、前記視野規制手段の操作位置に対応して前記写真フイルムにプリント範囲を指定するドットマークを露光させるようにしたレンズ付きフイルムユニットにおいて、
前記メインコンデンサに充電された電気を前記ドットマーク露光用光源の電源にすると共に、前記ファインダの視野範囲を規制する方向に前記視野規制手段を操作した時に、前記ストロボユニットのメインコンデンサに充電を開始させる連動スイッチを設けたことを特徴とするレンズ付きフイルムユニット。
【請求項２】
前記連動スイッチは、前記ファインダの前面に挿脱されて前記ファインダの視野範囲を限定する開口を有する視野規制板に設けられた操作突起によりオン、オフされることを特徴とする請求項１記載のレンズ付きフイルムユニット。
【請求項３】
前記ドットマーク露光用光源は、少なくとも２個以上設けられるとともに、前記視野規制板には、各々のドットマーク露光用光源をオン、オフさせるマーク露光光源スイッチを操作する操作カムが設けられることを特徴とする請求項２記載のレンズ付きフイルムユニット。
【請求項４】
前記ドットマーク露光用光源は、ＬＥＤであることを特徴とする請求項１ないし３いずれか記載のレンズ付きフイルムユニット。
【発明の詳細な説明】
【０００１】
【発明の属する技術分野】
本発明は、写真フイルムにプリント範囲指定用の光学マークを写し込むレンズ付きフイルムユニットに関するものである。
【０００２】
【従来の技術】
レンズ付きフイルムユニットは、簡単な撮影機構と未使用のフイルムカートリッジ、及びストロボユニット等が組み込まれ、誰にでも手軽に撮影が可能なことから一般に広く利用されている。
【０００３】
ところで、近年、プリント写真の魅力や楽しみをより広げるために、撮影された被写体の種類や大きさによって、アスペクト比の異なるプリント写真が提供されている。このようなプリント写真として、画像を従来のアスペクト比であるＣサイズプリント（８９ｍｍ×１２７ｍｍ）の他、横方向の長さを倍にしたパノラマプリント（８９ｍｍ×２５２ｍｍ）、及び近年普及しつつあるＡＰＳ（ADVANCED PHOTO SYSTEM)における標準サイズとなる、ハイビジョンテレビ放送での画面アスペクト比に近似させたＨサイズプリント（８９ｍｍ×１５８ｍｍ）等が一般に知られている。
【０００４】
上述したアスペクト比の異なるプリント写真を得るために、撮影時にはＨサイズプリントに対応したフルサイズで全コマを露光するとともに、Ｈサイズプリント以外のプリントを指定する時には、プリント範囲を指定する情報を記録し、プリント時にはその情報に基づいて各コマを指定されたプリント範囲でプリントする方法が行われている。
【０００５】
上述したプリント方法に対応するために、ＡＰＳ（ADVANCED PHOTO SYSTEM)においては、写真フイルム面に塗布された透明磁気層に磁気情報により記録する方法と、各撮影コマの露光範囲外の定められた位置に２ビットのドットマークを露光させる光学的記録方法とがある。この内、磁気により記録する方法は、磁気ヘッドや情報記録のための回路が必要となるため、特に低価格で提供されるレンズ付きフイルムユニットにおいては、後者の光学的記録方法が一般に用いられる。
【０００６】
プリントサイズの光学的記録方法は、レンズ付きフイルムユニットに設けられた光源を発光させ、四角形のスリット等を介して各撮影コマの露光範囲外の定められた位置に２ビットの四角いドットマークとして露光させるものである。例えば、Ｃサイズプリントを指定した時には２個のドットマークを露光させ、パノラマプリントを指定した時には１個のドットマークを露光させ、また、Ｈサイズプリントを指定した時にはドットマークを露光させないことにより、プリントサイズを記録する。
【０００７】
このような光学的記録方法に用いられる光源としては電球やＬＥＤがあるが、電球は導通から発光輝度が高くなるまでの点灯速度が遅いため、一定時間導通させなければならず、点灯速度の早いＬＥＤを用いるのがより一般的である。しかし、ＬＥＤの動作電圧は最低でも３Ｖ程度必要であるため、ストロボ用に１．５Ｖの乾電池しか内蔵していないレンズ付きフイルムユニットにＬＥＤを組み込む場合、例えば、特開平９−４３６９４号公報等に記載されているように、ストロボユニットの昇圧回路を利用することによりＬＥＤを発光させる方法が知られている。
【０００８】
これによると、ストロボ発光に連動してメインコンデンサーに再充電が開始される自動再充電タイプのストロボユニットにして、メインコンデンサーを常に充電された状態にし、メインコンデンサーに充電されている高電圧電流をツェナーダイオードで所定の電圧に下げることにより、ＬＥＤの起動電力として利用するものである。
【０００９】
【発明が解決しようとする課題】
しかしながら、上述したストロボユニットはストロボ発光に連動してメインコンデンサーに再充電が開始されるため、初回のストロボ撮影の時だけ必要となる充電スイッチの操作が行われるまでは、メインコンデンサーに充電が行われない。このため、初回のストロボ撮影が行われる前に、Ｃサイズプリントやパノラマプリントを指定してストロボ無しの撮影を行うと、プリントサイズを指定する所定のドットマークが露光されないという問題が生じる。
【００１０】
本発明は、上記問題点を解決するためのもので、充電スイッチを１回も操作しないうちに視野規制手段動かしても、プリントサイズを指定するドットマークを露光させることが可能なレンズ付きフイルムユニットを提供することを目的とするものである。
【００１１】
【課題を解決するための手段】
上記目的を達成するために、請求項１記載の発明では、予め未露光の写真フイルムを収納し、電源、メインコンデンサ、ストロボ放電管等からなるストロボユニットと、標準の露光サイズに対応した視野のファインダと、このファインダの視野範囲を規制する位置に切り換え操作自在な視野規制手段と、前記視野規制手段の操作位置に対応して前記写真フイルムにプリント範囲を指定するドットマークを露光させるようにしたレンズ付きフイルムユニットにおいて、前記メインコンデンサに充電された電気を前記ドットマーク露光用光源の電源にすると共に、前記ファインダの視野範囲を規制する方向に前記視野規制手段を操作した時に、前記ストロボユニットのメインコンデンサに充電を開始させる連動スイッチを設けたものである。
【００１２】
また、請求項２記載の発明では、前記連動スイッチを、前記ファインダの前面に挿脱されて前記ファインダの視野範囲を限定する開口を有する視野規制板に設けられた操作突起によりオン、オフされるようにしたものである。
【００１３】
請求項３記載の発明では、前記ドットマーク露光用光源を少なくとも２個以上設けるとともに、前記視野規制板に各々のドットマーク露光用光源をオン、オフさせるマーク露光光源スイッチを操作する操作カムを設けたものである。請求項４記載の発明では、前記ドットマーク露光用光源を、ＬＥＤにしたものである。
【００１４】
【発明の実施の形態】
以下、本発明のレンズ付きフイルムユニットの構成を説明する。図２は、本発明のレンズ付きフイルムユニットの外観を示す斜視図であり、図３は、その分解斜視図である。レンズ付きフイルムユニット３０は、前面に撮影レンズ１，対物側ファインダ窓２，ストロボ発光部３，ストロボ充電操作部材４，ファインダ切換え操作つまみ５等が露出している。また、上面にはシャッタボタン６，カウンタ窓７，ストロボ充電完了表示窓８等が設けられ、背面側には、巻上げノブ１０，接眼側ファインダ窓１１（図３参照）等が設けられている。
【００１５】
図３に示すように、レンズ付きフイルムユニット３０は、本体基部１３，露光ユニット１４，ストロボユニット１５，データ露光ユニット６１，前カバー１６，後カバー１７とから構成されている。データ露光ユニット６１は、写真フイルム１８ｂの各コマの被写体露光範囲外に、プリントサイズを指定する２ビットのドットマークを露光させるものである。また、本体基部１３には、カートリッジ１８ａと写真フイルム１８ｂとからなる写真フイルムカートリッジ１８が装填される。
【００１６】
図４に示すように、前カバー１６は、前カバー本体１９と、この前カバー本体１９の前面に取り付けられる前面パネル２０とからなり、前カバー本体１９には、前面パネル２０に形成された対物側ファインダ窓２と同形状のファインダ開口２１が形成されている。また、前カバー本体１９と前面パネル２０との間には、視野切換板２４と、トグルバネ２５とが組み込まれる。
【００１７】
ストロボ充電操作部材４は、前カバー本体１９に形成された開口２２の前面側に取り付けられる。そして、ストロボ充電操作部材４の押圧操作により、図３に示すストロボユニット１５の金属接片３５を押圧し、回路基板３６の接点部３７に接触させ、金属接片３５と接点部３７とからなる充電スイッチ６５をオンにする。これにより、ストロボユニット１５は連続してストロボ充電を行う。本実施形態におけるストロボユニット１５は、ストロボ充電操作部材４を１回押圧するだけで、フル充電されるタイプのものである。そして、充電が完了すると、充電完了ランプ９が点灯し、ストロボ充電完了表示窓８を介して充電完了を表示する。
【００１８】
図５は、レンズ付きフイルムユニット３０の電気的構成を示す回路図である。レンズ付きフイルムユニット３０の電気回路は、ストロボユニット１５を構成するストロボ回路６２と、データ露光ユニット６１を構成するデータ露光回路６３とからなる。ストロボ回路６２は、昇圧のためのトランス６４、充電スイッチ６５、メインコンデンサ６６、シャッタレリーズに連動してオンになるシンクロスイッチ６７、トリガコンデンサ６８、ダイオード６９、充電完了ランプ９、ストロボ放電管７１、電源となる乾電池７２、及び充電スイッチ６５と並列した連動スイッチ７３等から構成されている。この連動スイッチ７３は、後述する視野切換板２４の動きに連動してオン、オフする。
【００１９】
データ露光ユニット６１を構成するデータ露光回路６３は、動作電源として、ストロボユニット１５のメインコンデンサ６６に充電された高電圧電流を利用する。このデータ露光回路６３は、メインコンデンサ６６からの高電圧電流の電圧を下げるツェナーダイオード７５、写真フイルム１８ｂの各コマにドットマークを露光させる、ドットマーク露光用光源である２個のＬＥＤ７６，７７、及びこのＬＥＤ７６，７７のオン、オフを各々コントロールするマーク露光光源スイッチ７８，７９等からなる。このマーク露光光源スイッチ７８，７９は、後述する視野切換板２４の動きに連動してオン、オフする。
【００２０】
視野切換板２４は、前カバー本体１９及び前面パネル２０と同じプラスチックによって略円板形状に成形されたもので、中央部分に形成された円形の開口４２が前カバー本体１９のレンズ鏡筒２３の外周に嵌めこまれることにより、前カバー本体１９に回動自在に取り付けられる。トグルバネ２５は、一端に形成されたコイル部４３に前カバー本体１９の前面のピン４４が挿入され、他端４５が視野切換板２４の穴（図示せず）に挿入されることにより、視野切換板２４を中間位置を挟む方向に付勢する。
【００２１】
視野切換板２４の前面下部には、ボス４８が一体に形成されており、このボス４８は前面パネル２０の凸部４９の下方に形成された円弧形状のスリット５０に挿入される。スリット５０に挿入されたボス４８には、前面パネル２０の前面側から、ボス４８よりも大きく形成されたファインダ切換え操作つまみ５が取り付けられる。このように、視野切換板２４と、ファインダ切換え操作つまみ５とを別部品にすることにより、ファインダ切換え操作つまみ５の操作性を犠牲にすることなく、前面パネル２０のスリット５０の幅を狭くすることができるので、レンズ付きフイルムユニット３０内の遮光性の悪化を防止することができる。
【００２２】
視野切換板２４の上半分の外周部分には、対物側ファインダ窓２とファインダ開口２１との間で、露光ユニット１４に組み込まれた対物側ファインダレンズ５２の前方に挿脱される、切換え用ファインダ枠であるアスペクト比３．０のパノラマサイズ（Ｐサイズ）用ファインダ枠５４と、アスペクト比１．５のＣサイズ用ファインダ枠５５とが形成されている。また、これらのパノラマ用ファインダ枠５４とＣサイズ用ファインダ枠５５との間には、標準ファインダ枠である対物側ファインダ窓２と、接眼側ファインダ窓１１との間を開放する切欠部５６が形成されている。
【００２３】
本実施形態のレンズ付きフイルムユニット３０では、アスペクト比１．８のハイビジョンサイズ（Ｈサイズ）を標準サイズとしており、標準ファインダ枠である対物側ファインダ窓２は、アスペクト比１．８とされている。そのため、使用開始時のレンズ付きフイルムユニット３０は、図６に示すように、対物側ファインダ窓２に視野切換板２４の切欠部３６が対面しているため、接眼側ファインダ窓２と対物側ファインダ窓１１との間が開放され、視野範囲がＨサイズとなる。
【００２４】
また、ファインダ切換え操作つまみ５を操作して視野切換板２４を回動させ、図７に示すように、Ｃサイズ用ファインダ枠５５を接眼側ファインダ窓１１と対物側ファインダ窓２との間に挿入すると、視野範囲がＣサイズとなる。更に、図８に示すように、Ｐサイズ用ファインダ枠５４を接眼側ファインダ窓１１と対物側ファインダ窓２との間に挿入すると、視野範囲がＰサイズとなる。
【００２５】
このように、切換え用のファインダ枠であるＣサイズ用ファインダ枠５５とＰサイズ用ファインダ枠５４との間に、標準ファインダ枠である対物側ファインダ窓１１を開放するための切欠部３６を設けることにより、標準ファインダ枠から各サイズのファインダ枠へ切換える際の、ファインダ切換え操作つまみ５の操作量が同程度となる。
【００２６】
図６に示すように、視野切換板２４の下半分には、開口４２を取り巻くように長穴８１が設けられている。この長穴８１内には、ストロボユニット１５の連動スイッチ７３が配置される。また、長穴８１の一方の内辺には、連動スイッチ７３と当接してこの連動スイッチ７３をオンにする２個の操作突起８２ａ，８２ｂが各々一体に設けられる。
【００２７】
視野切換板２４をＨサイズに対応した位置にしている時は、操作突起８２ａ，８２ｂは連動スイッチ７３を真ん中に挟むような位置にあり、連動スイッチ７３はオフの状態に保たれている（図６）。そして、ファインダ切換え操作つまみ５を操作して、この視野切換板２４をＨサイズの位置からＣサイズの位置へ動かすと、図９に示すように、操作突起８２ａ，８２ｂも視野切換板２４と一体に反時計方向に移動し、操作突起８２ａが連動スイッチ７３に当接してこれを押圧し、連動スイッチ７３をオンする。
【００２８】
連動スイッチ７３は、図５の回路図に示すように充電スイッチ６５と並列した等価なスイッチなので、連動スイッチ７３がオンになると、ストロボ充電操作部材４により操作される充電スイッチ６５がオンにならなくとも、メインコンデンサ６６への充電が行われる。なお、視野切換板２４をＣサイズの位置へ動かし続けると、操作突起８２ａはすぐに連動スイッチ７３を通り越し、連動スイッチ７３はオフになるが、ストロボユニット１５は前述したようにストロボ充電操作部材４を１回押圧するだけでフル充電される回路構成であるので、連動スイッチ７３を連続して押圧し続けなくても充電が完了し、充電完了ランプ９が点灯する。
【００２９】
一方、ファインダ切換え操作つまみ５を操作して、視野切換板２４をＨサイズの位置からＰサイズの位置へ動かすと、図１０に示すように、視野切換板２４と一体に形成された操作突起８２ａ，８２ｂも視野切換板２４と一体に時計方向に移動する。そして今度は操作突起８２ｂが連動スイッチ７３に当接してこれを押圧し、連動スイッチ７３をオンする。そして、メインコンデンサ６６に充電が完了すると、充電完了ランプ９が点灯する。
【００３０】
図１は、データ露光ユニットの概略を示す斜視図である。図５の回路で示されるデータ露光回路６３は、ツェナーダイオード７５、ＬＥＤ７６，７７、及びマーク露光光源スイッチ７８，７９等からなる。ＬＥＤ７６，７７は、ＬＥＤホルダ８４に並列して保持される。このＬＥＤホルダ８４は、本体基部１３の中央に設けられた露光光路であるアパーチャ８５の下部に取り付けられる。一方、アパーチャ８５の側辺におけるＬＥＤホルダ８４の取り付け部分には、四角形のドット穴８６ａ，８６ｂが２個並列して穿設されたスリット板８７が一体に設けられる。
【００３１】
スリット板８７上のドット穴８６ａ，８６ｂは、ＬＥＤホルダ８４がアパーチャ８５の下部に取り付けられた時に、ちょうどＬＥＤ７６，７７の光路上に位置するように穿設されている。これにより、ＬＥＤ７６，７７が点灯すると、アパーチャ８５にセットされている写真フイルム１８ｂの被写体露光範囲外に、ドット穴８６ａ，８６ｂとほぼ同じ大きさのドットマークを露光させる。
【００３２】
なお、各々のＬＥＤ７６，７７で露光されるドットマークは、ドットマークを露光するか否かにより各々１ビットの情報を表現する。ＡＰＳにおいては、例えば、Ｈサイズプリントが指定されたときには、ドットマークを露光させず、また、Ｐサイズプリントが指定されたときには、１個のドットマークを露光させる。更に、Ｃサイズプリントが指定されたときには、２個のドットマークを露光させる。これにより、プリント時にプリントサイズの指定が行われる。
【００３３】
視野切換板２４の下部には、各々のＬＥＤ７６，７７のオン、オフを切り換えるためのマーク露光光源スイッチ７８，７９が配設される。また、視野切換板２４の下半分の周縁部には、このようなマーク露光光源スイッチ７８，７９を操作するためのカム部８７ａ，８７ｂが一体に突設される。このカム部８７ａ，８７ｂは、視野切換板２４の回転によりマーク露光光源スイッチ７８，７９と当接し、マーク露光光源スイッチ７８，７９をオン、オフさせる。この内、カム部８７ａは、視野切換板２４をＣサイズプリントの位置にセットしたときに、マーク露光光源スイッチ７８，７９を両方とも押圧してオンにする位置に延びている。また、カム部８７ｂは、視野切換板２４をＰサイズプリントの位置にセットしたときに、マーク露光光源スイッチ７９だけを押圧してオンにする位置に延びている。
【００３４】
このような構成により、視野切換板２４がＨサイズプリントに対応した位置にセットされている時には、カム部８７ａ，８７ｂはマーク露光光源スイッチ７８，７９を真ん中に挟むような位置にあり、マーク露光光源スイッチ７８，７９は共にオフの状態に保たれている（図６）。そして、ファインダ切換え操作つまみ５を操作して、この視野切換板２４をＨサイズの位置からＣサイズの位置へ動かすと、図７に示すように、カム部８７ａがマーク露光光源スイッチ７８，７９に当接して押圧するようになり、マーク露光光源スイッチ７８，７９を両方ともオンする。
【００３５】
また、ファインダ切換え操作つまみ５を操作して、視野切換板２４をＨサイズの位置からＰサイズの位置へ動かすと、図８に示すように、カム部８７ｂがマーク露光光源スイッチ７９だけに当接して押圧するようになり、マーク露光光源スイッチ７９だけをオンする。
【００３６】
以上のような構成のレンズ付きフイルムユニットの作用について説明する。本発明のレンズ付きフイルムユニット３０を用いて撮影を行う際には、まず、巻上げノブ１０を止まるまで回動させて、第１撮影コマをアパーチャ８５にセットする。次に、撮影者は接眼側ファインダ窓１１を覗いて被写体の撮影範囲を確認する。レンズ付きフイルムユニット３０は、販売段階では視野切換板２４がＨサイズの位置にセットされている。従って、この最初の撮影の時点では、図６に示すように、視野切換板２４は、対物側ファインダ窓２と接眼側ファインダ窓１１との間を解放する切欠部５６がファインダ開口２１の前面に位置し、接眼側ファインダ窓１１から覗いたファインダの視野は、ファインダ本来の視野であるＨサイズになっている。
【００３７】
しかし、例えば、被写体の幅が狭い等でＣサイズプリントを希望する場合には、撮影者はファインダ切換え操作つまみ５をＣサイズプリントの位置まで回動させる。すると、図９に示すように、操作突起８２ａ，８２ｂも視野切換板２４と一体に反時計方向に移動し、操作突起８２ａが連動スイッチ７３に当接してこれを押圧し、連動スイッチ７３をオンする。連動スイッチ７３がオンになると、ストロボ充電操作部材４により操作される充電スイッチ６５がオンにならなくとも、メインコンデンサ６６への充電が行われる。
【００３８】
図７に示すように、視野切換板２４がＣサイズの位置にセットされると、Ｃサイズ用ファインダ枠５５が接眼側ファインダ窓１１と対物側ファインダ窓２との間に挿入されて、ファインダ開口２１の両サイドの一部がＣサイズ用ファインダ枠５５で覆われ、ファインダがＣサイズプリントに対応した視野範囲に変化する。また、視野切換板２４がＣサイズの位置にセットされると、視野切換板２４のカム部８７ａがデータ露光ユニット６１のマーク露光光源スイッチ７８，７９に当接して押圧するようになり、マーク露光光源スイッチ７８，７９を両方ともオンになる。
【００３９】
撮影者は、Ｃサイズの視野範囲になったファインダを覗いて被写体を確認し、シャッタボタン６を押圧すると、シャッタ機構（図示せず）が動作して第１撮影コマへの露光が行われる。また、視野切換板２４の回動により連動スイッチ７３がオンになり、メインコンデンサ６６がフル充電になっているので、シャッタボタン６の押圧と同時にシンクロスイッチ６７が動作し、ストロボ放電管７１が発光してストロボ撮影が行われる。
【００４０】
また、メインコンデンサ６６がフル充電の状態でシンクロスイッチ６７が動作することにより、メインコンデンサ６６に繋がっているデータ露光ユニット６１にも高電圧電流が流れる。そして、ツェナーダイオード７５で電圧が下げられる。マーク露光光源スイッチ７８，７９は視野切換板２４のカム部８７ａに押圧されて両方ともオンの状態になっているので、ツェナーダイオード７５で降圧された電流はＬＥＤ７６，７７を流れ、ＬＥＤ７６，７７が発光する。ＬＥＤ７６，７７はマスク板８７のドット穴８６ａ，８６ｂを通って写真フイルム１８ｂに達する。その結果、図１１（Ａ）に示すように、アパーチャ８５にセットされた第１撮影コマ１８ｃの被写体エリアの外に設定されるデータ露光エリア１８ｄに、Ｃサイズプリントを指定する２個のドットマーク８９ａが露光される。
【００４１】
一方、第１撮影コマにおいて被写体の幅が広い等でＰサイズプリントを希望する場合には、撮影者はファインダ切換え操作つまみ５をＰサイズプリントの位置まで回動させる。すると、図１０に示すように、操作突起８２ａ，８２ｂも視野切換板２４と一体に反時計方向に移動する。そして、操作突起８２ｂが連動スイッチ７３に当接してこれを押圧し、連動スイッチ７３をオンする。連動スイッチ７３がオンになると、ストロボ充電操作部材４により操作される充電スイッチ６５がオンにならなくとも、メインコンデンサ６６への充電が行われる。
【００４２】
図８に示すように、視野切換板２４がＰサイズの位置にセットされると、Ｐサイズ用ファインダ枠５５が接眼側ファインダ窓１１と対物側ファインダ窓２との間に挿入されて、ファインダ開口２１の上下が一定幅だけＰサイズ用ファインダ枠５４で覆われ、ファインダがＰサイズプリントに対応した視野範囲に変化する。そして、視野切換板２４がＰサイズの位置にセットされると、視野切換板２４のカム部８７ｂがデータ露光ユニット６１のマーク露光光源スイッチ７９に当接して押圧するようになり、マーク露光光源スイッチだけがオンになる。
【００４３】
撮影者は、Ｐサイズの視野範囲になったファインダを覗いて被写体を確認し、シャッタボタン６を押圧すると、シャッタ機構（図示せず）が動作して第１撮影コマへの露光が行われる。また、視野切換板２４の回動により連動スイッチ７３がオンになり、メインコンデンサ６６がフル充電になっているので、シャッタボタン６の押圧と同時にシンクロスイッチ６７が動作し、ストロボ放電管７１が発光してストロボ撮影が行われる。
【００４４】
また、メインコンデンサ６６がフル充電の状態でシンクロスイッチ６７が動作することにより、メインコンデンサ６６に繋がっているデータ露光ユニット６１にも高電圧電流が流れる。そして、ツェナーダイオード７５で電圧が下げられる。マーク露光光源スイッチ７９は視野切換板２４のカム部８７ｂに押圧されてオンの状態になっているので、ツェナーダイオード７５で降圧された電流はＬＥＤ７７を流れ、ＬＥＤ７７だけが発光する。ＬＥＤ７７はマスク板８７のドット穴８６ｂを通って写真フイルム１８ｂに達する。その結果、図１１（Ｂ）に示すように、アパーチャ８５にセットされた第１撮影コマ１８ｃの被写体エリアの外に設定されるデータ露光エリア１８ｄに、Ｐサイズプリントを指定する２個のドットマーク８９ｂが露光される。
【００４５】
以上のように、メインコンデンサ６６に充電が行われていない、使用開始直後のレンズ付きフイルムユニットにおける第１撮影コマの撮影時に、撮影者がストロボ充電操作部材４を操作せずにＣサイズやＰサイズプリントを指定して撮影を行おうとしても、視野切換板２４を操作する際に、充電スイッチ６５と並列に設けられた連動スイッチ７３がオンになり、メインコンデンサ６６に充電が行われるので、第１撮影コマの撮影時にＣサイズやＰサイズプリントを指定した時に、各々のプリントを指定するドットマークが露光されないということがなくなる。
【００４６】
なお、第１撮影コマの撮影時にＨサイズプリントを選択した場合には、視野切換板２４が操作されないので、ストロボ充電操作部材４が操作されない限りメインコンデンサ６６に充電が行われないが、図１１（Ｃ）に示すように、第１撮影コマ１８ｃの被写体エリアの外に設定されるデータ露光エリア１８ｄにはドットマークを露光しないことにより、Ｈサイズプリントが指定されるので、メインコンデンサ６６に充電が行われなくても全く問題はない。
【００４７】
上述した実施形態においては、プリントサイズを指定する２ビットのドットマークを、２個のＬＥＤを用いて写真フイルムに露光させているが、次に、１個のＬＥＤを用いて、導光部材とマーク切換板を用いることにより２ビットのドットマークを記録する、第２の実施形態のレンズ付きフイルムユニットについて説明する。
【００４８】
図１２は、第２の実施形態におけるレンズ付きフイルムユニットを示す外観斜視図である。レンズ付きフイルムユニット１００は、前面に撮影レンズ１０１，対物側ファインダ窓１０２，ストロボ発光部１０３，ストロボ充電操作部材１０４，ファインダ切換え操作つまみ１０５等が設けられ、上面にはシャッタボタン１０６，カウンタ窓１０７，ストロボ充電完了表示部材１０８用の開口１０９等が設けられ、背面側には、巻上げノブ１１０，接眼側ファインダ窓１１１（図１３参照）等が設けられている。
【００４９】
ストロボ充電操作部材１０４は、上下方向でスライド自在とされており、ストロボを使用する際に上方にスライド操作される。また、ストロボ充電操作部材１０４が上方にスライド操作されると、レンズ付きフイルムユニット１００の上面に形成された開口１０９からは、図中２点鎖線で示すように、ストロボ充電完了表示部材１０８が突出される。このストロボ充電完了表示部材１０８はストロボ充電が完了すると発光し、撮影者と被撮影者とにストロボ充電が完了したことを知らせる。
【００５０】
図１３に示すように、レンズ付きフイルムユニット１００は、前記実施形態で説明したレンズ付きフイルムユニット１と同様に、本体基部１１３，露光ユニット１１４，ストロボユニット１１５，前カバー１１６，後カバー１１７とから構成されている。本体基部１１３には、前記実施形態のレンズ付きフイルムユニットに装填されるものと同じ、カートリッジ１８ａと写真フイルム１８ｂとからなる写真フイルムカートリッジ１８が装填される。
【００５１】
図１４に示すように、前カバー１１６は、前カバー本体１１９と、この前カバー本体１１９の前面に取り付けられる前面パネル１２０とからなり、前カバー本体１１９には、前面パネル１２０に形成された対物側ファインダ窓１０２と同形状のファインダ開口１１８が形成されている。また、前カバー本体１１９と前面パネル１２０との間には、ストロボ充電操作部材１０４と、視野切換板１２３と、トグルバネ１２４とが組み込まれる。
【００５２】
ストロボ充電操作部材１０４は、前カバー本体１１９に形成された開口１２１の前面側に取り付けられ、前カバー１１６から露呈されて実際に操作される操作部１２６と、前カバー本体１１９の前面に取り付けられる基板部１２７と、前カバー本体１１９の前面に形成されたスリット１２８に挿入されて、ストロボ充電完了表示部材１０８に一体に形成されたピン１２９に係合する係合部１３０とからなる。ストロボ充電操作部材１０４は、前カバー本体１１９のスリット１２８に沿って上下方向でスライド自在となる。
【００５３】
基板部１２７には、上下方向に延びたスリット１３２が形成されており、このスリット１３２には前カバー本体１１９の前面に突設されたピン１３３が挿入される。そして、ストロボ充電操作部材１０４が上下方向でスライド移動すると、スリット１３２の内壁面に形成された凹部がピン１３３に係合し、ストロボ充電操作部材１０４のスライド操作にクリック感を付与する。
【００５４】
操作部１２６は前カバー本体１１９の開口１２１に対面して配置され、その背面には、開口１２１を通して、図１３に示すストロボユニット１１５の金属接片１３５を押圧し、回路基板１３６のプリント接点１３７に接触させる突起（図示せず）が形成されている。本実施形態におけるストロボユニット１１５は、ストロボ充電操作部材４を１回押圧するだけで、フル充電されるタイプのものである。
【００５５】
ストロボ充電完了表示部材１０８は、透明なプラスチックを用いて形成されており、図１３に示す露光ユニットに上下方向でスライド自在に取り付けられる取付け部１３９と、ストロボ充電操作部材１０４の係合部１３０に係合するピン１２９と、ストロボ充電操作部材１０４によって上方にスライド移動された際に、回路基板１３６の背面に取り付けられた充電完了表示用発光素子（図示せず）に対面し、この発光素子の光を内面反射によってガイドしてレンズ付きフイルムユニット１００外に放射させるライトガイド部１４０とからなる。
【００５６】
ストロボ充電操作部材１０８の上方へのスライドによって、レンズ付きフイルムユニット１００の上面から突出されるのは、ライトガイド部１４０の上端部分であり、この上端部分は、撮影者と被撮影者とに向けて発光素子の光を放射できるような形状となっている。
【００５７】
図１５は、レンズ付きフイルムユニット１００の電気的構成を示す回路図である。レンズ付きフイルムユニット１００の電気回路は、ストロボユニット１１５を構成するストロボ回路６２と、データ露光回路１９１とからなる。ストロボ回路６２は、第１の実施形態と同様に、昇圧のためのトランス６４、充電スイッチ６５、メインコンデンサ６６、シャッタレリーズに連動してオンになるシンクロスイッチ６７、トリガコンデンサ６８、ダイオード６９、ストロボ放電管７１、電源となる乾電池７２、及び充電スイッチ６５と並列した連動スイッチ１９２等から構成されている。この連動スイッチ１９２は、後述する視野切換板１２３の動きに連動してオン、オフする。
【００５８】
データ露光回路１９１は、動作電源として、ストロボユニット１５のメインコンデンサ６６に充電された高電圧電流を利用する。このデータ露光回路１９１は、メインコンデンサ６６からの高電圧電流の電圧を下げるツェナーダイオード７５、写真フイルム１８ｂの各コマにドットマークを露光させる、ドットマーク露光用光源であるＬＥＤ１９３等からなる。
【００５９】
視野切換板１２３は、前カバー本体１１９及び前面パネル１２０と同じプラスチックによって略円板形状に成形されたもので、中央部分に形成された円形の開口１４２が前カバー本体１１９のレンズ鏡筒１２２の外周に嵌めこまれることにより、前カバー本体１１９に回動自在に取り付けられる。トグルバネ１２４は、一端に形成されたコイル部１４３に前カバー本体１１９の前面のピン１４４が挿入され、他端１４５が視野切換板１２３の穴１４６に挿入されることにより、視野切換板１２３を中間位置を挟む２方向に付勢する。
【００６０】
視野切換板１２３の前面下部には、ボス１４８が一体に形成されており、このボス１４８は前面パネル１２０の凸部１４９の下方に形成された円弧形状のスリット１５０に挿入される。スリット１５０に挿入されたボス１４８には、前面パネル１２０の前面側から、ボス１４８よりも大きく形成されたファインダ切換え操作つまみ１０５が取り付けられる。このように、視野切換板１２３と、ファインダ切換え操作つまみ１０５とを別部品にすることにより、ファインダ切換え操作つまみ１０５の操作性を犠牲にすることなく、前面パネル１２０のスリット１５０の幅を狭くすることができるので、レンズ付きフイルムユニット１００内の遮光能の悪化を防止することができる。
【００６１】
視野切換板１２３の外周部分には、対物側ファインダ窓１０２とファインダ開口１１８との間で、露光ユニット１１４に組み込まれた対物側ファインダレンズ１５２の前方、すなわちファインダ光学系の光軸上に挿脱される切換え用ファインダ枠であるアスペクト比３．０のパノラマサイズ（Ｐサイズ）用ファインダ枠１５４と、アスペクト比１．５のＣサイズ用ファインダ枠１５５とが形成されている。また、これらのパノラマ用ファインダ枠１５４とＣサイズ用ファインダ枠１５５との間には、標準ファインダ枠である対物側ファインダ窓１０２と、接眼側ファインダ窓１１１との間を開放する切欠部１５６が形成されている。
【００６２】
本実施形態のレンズ付きフイルムユニット１００では、アスペクト比１．８のハイビジョンサイズ（Ｈサイズ）を標準サイズとしており、標準ファインダ枠である対物側ファインダ窓１０２は、アスペクト比１．８とされている。そのため、使用開始時のレンズ付きフイルムユニット１００は、図１６に示すように、対物側ファインダ窓１０２に視野切換板１２３の切欠部１５６が対面しているため、接眼側ファインダ窓１０２と対物側ファインダ窓１１１との間が開放され、視野範囲がＨサイズとなる。
【００６３】
また、ファインダ切換え操作つまみ１０５を操作して視野切換板１２３を回動させ、図１７に示すように、Ｃサイズ用ファインダ枠１５５を接眼側ファインダ窓１１１と対物側ファインダ窓１０２との間に挿入すると、視野範囲がＣサイズとなり、図１８に示すように、Ｐサイズ用ファインダ枠１５４を接眼側ファインダ窓１１１と対物側ファインダ窓１０２との間に挿入すると、視野範囲がＰサイズとなる。
【００６４】
このように、切換え用のファインダ枠であるＣサイズ用ファインダ枠１５５とＰサイズ用ファインダ枠１５４との間に、標準ファインダ枠である対物側ファインダ窓１０２を開放するための切欠１５６を設けたことにより、標準ファインダ枠から各切換え用ファインダ枠へ切換える際の、操作つまみ１０５の操作量が同程度となる。
【００６５】
視野切換板１２３の下部にはストロボユニット１１５の連動スイッチ１９２が配置される。そして、視野切換板１２３の外周には、連動スイッチ１９２と当接してこの連動スイッチ１９２をオンにする２個の操作突起１９４ａ，１９４ｂが各々一体に設けられる。
【００６６】
視野切換板１２３をＨサイズに対応した位置にしている時は、操作突起１９４ａ，１９４ｂは連動スイッチ１９２を真ん中に挟むような位置にあり、連動スイッチ１９２はオフの状態に保たれている（図１６）。そして、ファインダ切換え操作つまみ１０５を操作して、この視野切換板１２３をＨサイズの位置からＣサイズの位置へ動かすと、図２０に示すように、操作突起１９４ａ，１９４ｂも視野切換板１２３と一体に反時計方向に移動し、操作突起１９４ａが連動スイッチ１９２に当接してこれを押圧し、連動スイッチ１９２をオンする。
【００６７】
連動スイッチ１９２は、図１５の回路図に示すように充電スイッチ６５と並列した等価なスイッチなので、連動スイッチ１９２がオンになると、ストロボ充電操作部材１０４により操作される充電スイッチ６５がオンにならなくとも、メインコンデンサ６６への充電が行われる。なお、視野切換板１２３をＣサイズの位置へ動かし続けると、操作突起１９４ａはすぐに連動スイッチ１９２を通り越し、連動スイッチ１９２はオフになるが、ストロボユニット１１５は前述したようにストロボ充電操作部材１０４を１回押圧するだけでフル充電される回路構成であるので、連動スイッチ１９２を連続して押圧し続けなくてもフル充電される。
【００６８】
一方、ファインダ切換え操作つまみ１０５を操作して、視野切換板１２３をＨサイズの位置からＰサイズの位置へ動かすと、図２１に示すように、視野切換板１２３と一体に形成された操作突起１９４ａ，１９４ｂも視野切換板１２３と一体に時計方向に移動する。そして今度は操作突起１９４ｂが連動スイッチ１９２に当接してこれを押圧し、連動スイッチ１９２をオンする。そして、メインコンデンサ６６に充電が行われる。
【００６９】
視野切換板１２３の開口１４２の外周には、開口１４２の中心からの距離が変化させられて屈曲した形状とされた係止溝であるカム溝１５８が形成されている。このカム溝１５８には、図１７に示すように、本体基部１１３に取り付けられる回動レバー１６０に形成された２本のアーム部１６１，１６２のうち、一方のアーム部１６１に形成された係合ピンであるピン１６３が挿入される。また、カム溝１５８の一方の内壁面１５８ａの中央部分には、ピン１６３が係合する凹部１５８ｂが形成されている。
【００７０】
図１９に示すように、前記回動レバー１６０は、本体基部１１３の前面中央に設けられた遮光筒１６５の上方に突設されたピン１６６に軸支される。回動レバー１６０の一方のアーム部１６１の先端に形成されたピン１６３は、露光ユニット１１４のファインダ用レンズ枠１６７の下方と、前カバー本体１１９のファインダ窓１１８に連なって形成された切欠１６８とを通して、視野切換板１２３のカム溝１５８に挿入される。これにより、視野切換板１２３が回動すると、図１３〜図１５に示すように、カム溝１５８の回動にほぼ直交する方向でピン１６３が移動し、これに連動して回動レバー１６０が回動する。
【００７１】
回動レバー１６０の他方のアーム部１６２の先端に形成されたピン１７０は、遮光筒１６５の下方に左右方向でスライド自在に取り付けられるスライドレバー１７１の一端に形成されたフォーク部１７２に係合する。これにより、回動レバー１６０の回動に連動してスライドレバー１７１が左右方向でスライドする。
【００７２】
遮光筒１６５の下方には、プリント範囲を示す光学マークを写真フイルム１８ｂに写し込むための２個の写し込み用開口１７４，１７５が形成されている。これらの写し込み用開口１７４，１７５の前面側には、遮光性を有する薄肉のプラスチックフイルム等で形成されたマーク切換板１７７が左右方向でスライド自在に取り付けられる。このマーク切換板１７７は、特定のスライド位置で写し込み開口１７４を開放するための開口１７８が形成されている。また、このマーク切換板１７７の端部に形成された穴１７９には、スライドレバー１７１の他端に形成されたピン１８０が係合され、スライドレバー１７１と一緒にスライドする。
【００７３】
マーク切換板１７７の前面側には、ライトガイド１８２と遮光カバー１８３とが取り付けられる。ライトガイド１８２は、透明なプラスチックによって形成されており、ストロボユニット１１５の回路基板１３６の背面側に取り付けられたマーク写し込み用発光素子１８４から放射された光を内面反射してガイドし、写し込み用開口１７４，１７５から写真フイルム１８ｂに向けて光を放射する。なお、マーク写し込み用発光素子１８４は、ストロボの使用，不使用に係わらず、シャッタレリーズ時にオンされるストロボユニット１１５のシンクロスイッチ１８６に連動して発光する。
【００７４】
遮光カバー１８３は、写し込み開口１７４，１７５とマーク切換板１７７と、ライトガイド１８２とを覆うように本体基部１１３に取り付けられ、レンズ付きフイルムユニット１００内に侵入した外光が写し込み開口１７４，１７５を通って写真フイルムに達しないように遮光する。また、遮光カバー１８３には、マーク写し込み用の発光素子１８４が挿入される筒部１８５が一体に形成されており、詳しくは図示しないが、発光素子１８４の端子部分にはモルトプレーン等の遮光材が巻き付けられて、筒部１８５から発光素子１８４の光が漏れないようにするとともに、筒部１８４に外光が侵入しないように遮光する。
【００７５】
スライドレバー１７１は、遮光カバー１８３の前面側に左右方向でスライド自在に取り付けられる。また、一端が遮光カバー１８３に掛けられたコイルバネ１８８の他端がピン１８９に掛けられることにより、図中右方に向けて付勢される。これにより、回動レバー１６０のアーム部１６１のピン１６３が、視野切換板１２３のカム溝１５８の一方の内壁面１５８ａに常に接触するようになり、視野切換板１２３の回動を確実にマーク切換板１７７に伝達することができる。
【００７６】
図１６に示すように、切欠１５６が対物側ファインダ窓１０２に対面してファインダ視野がＨサイズとなるようにファインダ切換え操作つまみ１０５を操作すると、バネ１８８によって図中反時計方向に付勢された回動レバー１６０のピン１６３がカム溝１５８の一方の内壁面１５８ａに形成された凹部１５８ｂに係合する。これにより、ファインダ切換え操作つまみ１０５にクリック感が与えられるとともに、ファインダ視野がＨサイズとなる位置で視野切換板１２３が位置決めされる。
【００７７】
また、回動レバー１６０のピン１６３が凹部１５８ｂに係合すると、回動レバー１６０によってスライドされたスライドレバー１７１がマーク切換板１７７をスライドさせ、マーク切換板１７７は写し込み用開口１７４，１７５を塞ぐ。これにより、図１１（Ｃ）に示すように、写真フイルム１８の第１撮影コマ１８ｃの被写体エリアの外に設定されるデータ露光エリア１８ｄにはドットマークが写しこまれない。
【００７８】
図２０に示すように、ファインダ切換え操作つまみ１０をＣサイズ方向にを操作すると、操作突起１９４ａが連動スイッチ１９２に当接して連動スイッチ１９２がオンになり、メインコンデンサ６６への充電が行われる。そして、図１７に示すように、視野切換板１２３はトグルバネ１２４によって図中反時計方向に付勢され、カム溝１５８の一端部１５８ｃが回動レバー１６０のピン１６３に当接する。これにより、ファインダ視野がＣサイズとなる位置で視野切換板１２３が位置決めされる。また、この際には、マーク切換板１７７は写し込み用開口１７４，１７５を開放する。これにより、図１１（Ａ）に示すように、第１撮影コマ１８ｃの被写体エリアの外に設定されるデータ露光エリア１８ｄに、Ｃサイズプリントを指定する２個のドットマーク８９ａが露光される。
【００７９】
また、  図２１に示すように、ファインダ切換え操作つまみ１０をＰサイズ方向にを操作すると、今度は操作突起１９４ｂが連動スイッチ１９２に当接して連動スイッチ１９２がオンになり、メインコンデンサ６６への充電が行われる。そして、図１８に示すように、視野切換板１２３はトグルバネ１２４によって図中時計方向に付勢され、カム溝１５８の他端部１５８ｄが回動レバー１６０のピン１６３に当接する。これにより、ファインダ視野がＰサイズとなる位置で視野切換板１２３が位置決めされる。この際に、マーク切換板１７７は写し込み用開口１７４を塞ぎ、写し込み用開口１７５を開放する。これにより、写真フイルム１８ｂには、図１１（Ｂ）に示すように、第１撮影コマ１８ｃの被写体エリアの外に設定されるデータ露光エリア１８ｄに、Ｐサイズプリントを指定する１個のドットマーク８９ｂが露光される。
【００８０】
以上のように、第２の実施形態においても、メインコンデンサ６６に充電が行われていない、使用開始直後のレンズ付きフイルムユニット１００における第１撮影コマの撮影時に、撮影者がストロボ充電操作部材１０４を操作せずにＣサイズやＰサイズプリントを指定して撮影を行おうとしても、視野切換板２４を操作する際に、充電スイッチ６５と並列に設けられた連動スイッチ１９２がオンになり、メインコンデンサ６６に充電が行われるので、第１撮影コマの撮影時にＣサイズやＰサイズプリントを指定した時に、各々のプリントを指定するドットマークが露光されないということがなくなる。
【００８１】
なお、上記第２の実施形態においては、写真フイルムにドットマークを露光するための光源としてＬＥＤを用いているが、これ以外にも、例えば、ストロボ放電管の光の一部を導光部材等で写真フイルムの近傍まで導き、このストロボ光を利用して写真フイルムにドットマークを露光させてもよい。
【００８２】
なお上記各実施形態では、開口窓を形成したマーク切り換え板を用いているが、開口窓無しのマーク切り換え板でもよい。また、プリント範囲を表すマークとして、矩形のドットを用いたが、例えば円形のドットを用いてもよい。また、ドットの数と各プリント範囲との対応を、２個のドットでＣサイズ、１個のドットでパノラマ、ドット無しでＨサイズとしたが、これらに限定されるものでないのは勿論である。また、プリント範囲をＣサイズ、パノラマサイズ、Ｈサイズの３種類としたがこれに限られるものではない。
【００８３】
【発明の効果】
以上のように、本発明によれば、予め未露光の写真フイルムを収納し、電源、メインコンデンサ、ストロボ放電管等からなるストロボユニットと、標準の露光サイズに対応した視野のファインダと、このファインダの視野範囲を規制する位置に切り換え操作自在な視野規制手段と、前記視野規制手段の操作位置に対応して前記写真フイルムにプリント範囲を指定するドットマークを露光させるようにしたレンズ付きフイルムユニットにおいて、前記メインコンデンサに充電された電気を前記ドットマーク露光用光源の電源にすると共に、前記ファインダの視野範囲を規制する方向に前記視野規制手段を操作した時に、前記ストロボユニットのメインコンデンサに充電を開始させる連動スイッチを設けたので、充電スイッチを１回も操作しないうちに視野規制手段動かしても、プリントサイズを指定するドットマークを露光させることが可能なレンズ付きフイルムユニットを提供することが可能になる。
【図面の簡単な説明】
【図１】本発明のレンズ付きフイルムユニットにおけるデータ露光ユニットの概略を示す分解斜視図である。
【図２】本発明のレンズ付きフイルムユニットの外観を示す斜視図である。
【図３】本発明のレンズ付きフイルムユニットの構成を示す分解斜視図である。
【図４】本発明のレンズ付きフイルムユニットの前カバーの構成を示す分解斜視図である。
【図５】本発明のレンズ付きフイルムユニットの電気回路を示す回路図である。
【図６】レンズ付きフイルムユニットのファインダ視野がＨサイズ時の視野切換板及びデータ露光ユニットの状態を示す説明図である。
【図７】レンズ付きフイルムユニットのファインダ視野がＣサイズ時の視野切換板及びデータ露光ユニットの状態を示す説明図である。
【図８】レンズ付きフイルムユニットのファインダ視野がＰサイズ時の視野切換板及びデータ露光ユニットの状態を示す説明図である。
【図９】レンズ付きフイルムユニットのファインダ視野をＨサイズからＣサイズに切り換える時の視野切換板及びデータ露光ユニットの状態を示す説明図である。
【図１０】レンズ付きフイルムユニットのファインダ視野をＨサイズからＰサイズに切り換える時の視野切換板及びデータ露光ユニットの状態を示す説明図である。
【図１１】写真フイルムに各サイズのプリントを指定したときの記録の状態を示す説明図である。
【図１２】本発明の第２の実施形態におけるレンズ付きフイルムユニットの外観を示す斜視図である。
【図１３】図１２のレンズ付きフイルムユニットの構成を示す分解斜視図である。
【図１４】図１２のレンズ付きフイルムユニットの前カバーの構成を示す分解斜視図である。
【図１５】本発明の第２の実施形態におけるレンズ付きフイルムユニットの電気回路を示す回路図である。
【図１６】第２の実施形態におけるレンズ付きフイルムユニットのファインダ視野がＨサイズ時の視野切換板及びデータ露光ユニットの状態を示す説明図である。
【図１７】第２の実施形態におけるレンズ付きフイルムユニットのファインダ視野がＣサイズ時の視野切換板及びデータ露光ユニットの状態を示す説明図である。
【図１８】第２の実施形態におけるレンズ付きフイルムユニットのファインダ視野がＰサイズ時の視野切換板及びデータ露光ユニットの状態を示す説明図である。
【図１９】第２の実施形態のレンズ付きフイルムユニットにおけるデータ露光ユニットの概略を示す分解斜視図である。
【図２０】レンズ付きフイルムユニットのファインダ視野をＨサイズからＣサイズに切り換える時の視野切換板及びデータ露光ユニットの状態を示す説明図である。
【図２１】レンズ付きフイルムユニットのファインダ視野をＨサイズからＰサイズに切り換える時の視野切換板及びデータ露光ユニットの状態を示す説明図である。
【符号の説明】
１３  本体基部
１８  写真フイルムカートリッジ
２４  視野切換板
３０  レンズ付きフイルムユニット
７３  連動スイッチ
７６，７７  ＬＥＤ
７８，７９  マーク露光光源スイッチ
８２ａ，８２ｂ  操作突起
８７ａ，８７ｂ  カム部
【図１】
0003710269.tif 000002
【図２】
0003710269.tif 000003
【図３】
0003710269.tif 000004
【図４】
0003710269.tif 000005
【図５】
0003710269.tif 000006
【図６】
0003710269.tif 000007
【図７】
0003710269.tif 000008
【図８】
0003710269.tif 000009
【図９】
0003710269.tif 000010
【図１０】
0003710269.tif 000011
【図１１】
0003710269.tif 000012
【図１２】
0003710269.tif 000013
【図１３】
0003710269.tif 000014
【図１４】
0003710269.tif 000015
【図１５】
0003710269.tif 000016
【図１６】
0003710269.tif 000017
【図１７】
0003710269.tif 000018
【図１８】
0003710269.tif 000019
【図１９】
0003710269.tif 000020
【図２０】
0003710269.tif 000021
【図２１】
0003710269.tif 000022